(57)【特許請求の範囲】
【請求項１】
スイング姿勢矯正用ゴルフウェアであって、
衣服本体と、
前記衣服本体に配置されるスイング姿勢矯正補助構造とを含み、
前記スイング姿勢矯正補助構造は、ゴルファーが両手でゴルフクラブを握って通常のバッティング動作を行うときのスイングの過程において、両腕と肩部によって形成される形状が略二等辺三角形に維持されるようにし、前記ゴルファーが両手でゴルフクラブを握って通常のバッティング動作は、ゴルファーが頭を自然に下げ、両腕の上部を本体の前部にくっつき、両手でゴルフクラブを握ってスイング動作であり、
前記スイング姿勢矯正補助構造は、ストリップ状識別部を含み、
前記ストリップ状識別部は、前記衣服本体の肩部の前側から横方向に沿って延長されて形成される肩部識別部と、前記肩部識別部の両側にそれぞれ連接され、前記ゴルフウェアの袖部に沿って延長されて形成される左腕識別部と右腕識別部に分かれた両腕識別部とを含み、
ゴルファーが両手でゴルフクラブを握ってバッティング準備姿勢を取る際に、ゴルファーの視点から見た場合、前記肩部識別部と両腕識別部とによって形成される形状は略三角形の形状である、
ことを特徴とするスイング姿勢矯正用ゴルフウェア。
【請求項２】
前記ストリップ状識別部は、前記衣服本体における前記ストリップ状識別部以外の部分とは顕著に異なるカラーまたはパターンを有することを特徴とする請求項１に記載のゴルフウェア。
【請求項３】
前記ストリップ状識別部は、前記衣服本体上にプリントされて形成されるか、または、前記衣服本体とは独立して形成された後に前記衣服本体に取り付けられることを特徴とする請求項１に記載のゴルフウェア。
【請求項４】
前記スイング姿勢矯正補助構造は、連接構造を含み、
前記連接構造は、繰り返して分離または結合することができ、左腕連接構造と右腕連接構造とを含み、
前記左腕連接構造と前記右腕連接構造はいずれも、互いに結合可能な連接部材と被連接部材とを含み、
前記左腕連接構造は、衣服本体における左腕袖部の内側と胸部の左側との間に配置され、前記左腕連接構造における連接部材と被連接部材とを連接するとき、左腕袖部の内側と胸部の左側を密着させ、
前記右腕連接構造は、衣服本体における右腕袖部の内側と胸部の右側との間に配置され、前記右腕連接構造における連接部材と被連接部材とを連接するとき、右袖袖部の内側と胸部の右側を密着させて、
ゴルファーが前記連接構造が連接されたゴルフウェアを着用してスイングするとき、連接構造の制限作用により、ゴルファーの両腕が曲がりにくくなるため、ゴルファーの両腕と肩部とによって形成される形状が常に三角形に維持される、
ことを特徴とする請求項１に記載のゴルフウェア。
【請求項５】
前記連接構造は、ジッパー構造であることを特徴とする請求項４に記載のゴルフウェア。
【請求項６】
前記ジッパー構造は、互いに配合して結合可能な二つのジッパー帯と、二つのジッパー帯を結合させるスライド部材スライド部材とを含み、
衣服本体の袖部の内側に配置されるジッパー帯は、衣服本体の腋下側から肘部の付近まで延長され、衣服本体の胸部側に配置されるジッパー帯は、衣服本体の腋下側から胸部の付近まで傾斜して延長される、
ことを特徴とする請求項５に記載のゴルフウェア。
【請求項７】
前記スイング姿勢矯正補助構造は、肘関節制限構造を含み、
前記肘関節制限構造は、衣服本体の左側肘部の内側および／または右側肘部の内側に配置され、
前記肘関節制限構造は、挿入部と、ゴルファーの肘関節の曲げを制限する硬質物体とを含み、
前記硬質物体は、前記挿入部に着脱可能に挿入されて、
ゴルファーのバッティング目標側の腕における前記挿入部に前記硬質物体を挿入した場合、硬質物体によってゴルファーのかかる肘の曲げが制限され、腕がまっすぐに保たれ、両腕と肩部とによって形成される形状を常に三角形に維持されることができる、
ことを特徴とする請求項１に記載のゴルフウェア。
【請求項８】
前記硬質物体は、ゴルフのティー（Ｔｅｅ）であることを特徴とする請求項７に記載のゴルフウェア。
【発明の詳細な説明】
【技術分野】
【０００１】
本発明は、ゴルフスポーツで着用する衣服に関する。特に、ゴルフスポーツ中に使用されるスイング姿勢矯正用ゴルフウェアに関する。
【背景技術】
【０００２】
人々の生活の質の向上によって、より多くの人々がゴルフを選択し、一方では、スポーツを通じてフィットネスの目的を達成し、他方では、ゴルフコースの美しい環境と広い視野は、仕事でストレスを受ける都市の人々としてリラックスし、精神修養の目的を達成されるようにできる。しかしながら、ゴルフは、技術への要求がかなり高いスポーツであり、ゴルファーが、熟練したスイングスキルを掌握されるこそ正確にボールを穴に打ち込むことができる。スイングの動作を効果的かつ正確に維持できるようにするために、多数のゴルファーは、体の動きを制限する補助部材、例えば、腕に着用して腕の動きを制限するベルトなどを選択することになる。しかし、このような補助部材は、運動を不快にし、快適さを低下させるので、もともと体をリラックスさせたい運動の最初の快感を減少している。
【０００３】
したがって、運動の快適性を損なうことなくスイング姿勢を矯正できる、ゴルフ中に着用される衣服が緊急に必要とされている。
【発明の概要】
【０００４】
上記の技術的課題を解決するために、本発明は、ゴルフスポーツにおけるスイング姿勢矯正用ゴルフウェアを提供する。
【０００５】
本発明で提供される技術的方策は、以下の通りである。
【０００６】
スイング姿勢矯正用ゴルフウェアであって、衣服本体と、前記衣服本体に配置されるスイング姿勢矯正補助構造とを含み、前記スイング姿勢矯正補助構造は、ゴルファーが両手でゴルフクラブを握って、通常のバッティング動作を行うときのスイングの過程において、両腕と肩部によって形成される形状が三角形の形状に維持されるようにすることを特徴とするスイング姿勢矯正用ゴルフウェアを提供する。
【０００７】
好ましくは、前記三角形の形状は、略二等辺三角形である。
【０００８】
好ましくは、前記スイング姿勢矯正補助構造は、ストリップ状識別部を含み、前記ストリップ状識別部は、前記衣服本体の肩部の前側から横方向に沿って延長されて形成される肩部識別部と、前記肩部識別部の両側にそれぞれ連接され、前記ゴルフウェアの袖部に沿って延長されて形成される左腕識別部と右腕識別部に分かれた両腕識別部とを含み、ゴルファーが両手でゴルフクラブを握ってバッティング準備姿勢を取る際に、ゴルファーの視点から見た場合、前記肩部識別部と両腕識別部とによって形成される形状は略三角形の形状である。
【０００９】
好ましくは、前記ストリップ状識別部は、前記衣服本体における前記ストリップ状識別部以外の部分とは顕著に異なるカラーまたはパターンを有する。
【００１０】
好ましくは、前記ストリップ状識別部は、前記衣服本体上にプリントされて形成されるか、または、前記衣服本体とは独立して形成された後に前記衣服本体に取り付けられる。
【００１１】
好ましくは、前記スイング姿勢矯正補助構造は、連接構造を含み、前記連接構造は、繰り返して分離または結合することができ、左腕連接構造と右腕連接構造とを含み、前記左腕連接構造と前記右腕連接構造はいずれも、互いに結合可能な連接部材と被連接部材とを含み、前記左腕連接構造は、衣服本体における左腕袖部の内側と胸部の左側との間に配置され、前記左腕連接構造における連接部材と被連接部材とを連接するとき、左腕袖部の内側と胸部の左側を密着させ、前記右腕連接構造は、衣服本体における右腕袖部の内側と胸部の右側との間に配置され、前記右腕連接構造における連接部材と被連接部材とを連接するとき、右袖袖部の内側と胸部の右側を密着させ、ゴルファーが前記連接構造が連接されたゴルフウェアを着用してスイングするとき、連接構造の制限作用により、ゴルファーの両腕が曲がりにくくなるため、ゴルファーの両腕と肩部とによって形成される形状が常に三角形に維持される。
【００１２】
好ましくは、前記連接構造は、ジッパー構造である。
【００１３】
好ましくは、前記ジッパー構造は、互いに配合して結合可能な連接される二つのジッパー帯と、二つのジッパー帯を結合させるスライド部材とを含み、衣服本体の袖部の内側に配置されるジッパー帯は、衣服本体の腋下側から肘部の付近まで延長され、衣服本体の胸部側に配置されるジッパー帯は、衣服本体の腋下側から胸部の付近まで傾斜して延長される。
【００１４】
好ましくは、前記スイング姿勢矯正補助構造は、肘関節制限構造を含み、前記肘関節制限構造は、衣服本体の左側肘部の内側および／または右側肘部の内側に配置され、前記肘関節制限構造は、挿入部と、ゴルファーの肘関節の曲げを制限する硬質物体とを含み、前記硬質物体は、前記挿入部に着脱可能に挿入されて、ゴルファーのバッティング目標側の腕における前記挿入部に前記硬質物体を挿入した場合、硬質物体によってゴルファーのかかる肘の曲げが制限され、腕がまっすぐに保たれ、両腕と肩部とによって形成される形状を常に三角形に維持されることができる。
【００１５】
好ましくは、前記硬質物体は、ゴルフのティー（Ｔｅｅ）である。
【００１６】
本発明は、スポーツにおけるスイング姿勢矯正用ゴルフウェアを提供する。前記ゴルフウェアには、衣服本体の両肩部と両腕部の位置に連続的に形成されるストリップ状識別部等を含むスイング姿勢矯正補助構造が配置されており、ゴルファーが、スイングの過程において肉眼で識別部の形状を観察することにより、肩部と両腕が略二等辺三角形を形成されること、左腕が真っ直ぐになっている等正しい姿勢を容易に確認及び維持することができ、正しいスイングに有利である。本発明は、ゴルファー、特に初心者のスイング姿勢を矯正できるので、ゴルファーとして正確なスイング姿勢を迅速に掌握できるようにして、ゴルフのレベルを飛躍的に向上させ、運動の体験感を向上させることができる。
【図面の簡単な説明】
【００１７】
【図１】図１は、本発明に係る一実施形態の識別部に配置されている衣服の構造を示す図である。
【図２】図２は、本発明に係る一実施例の連接構造が配置されている衣服の構造を示す図である。
【図３】図３は、本発明に係る一実施例の肘関節制限構造が配置されている衣服の構造を示す図である。
【図４】図４は、本発明に係る一実施例の肘関節制限構造の挿入部の構造を示す図である。
【図５】図５は、本発明に係る一実施例の識別部と連接構造とが同時に配置されている衣服の構造を示す図である。
【図６】図６は、本発明に係る一実施例の識別部と肘関節制限構造とが同時に配置されている衣服の構造を示す図である。
【図７】図７は、本発明に係る一実施例の連接構造と肘関節制限構造とが同時に配置されている衣服の構造を示す図である。
【図８】図８は、本発明に係る一実施例の識別部、連接構造と肘関節制限構造とが同時に配置されている衣服の構造を示す図である。
【図９】図９は、ゴルファーが、本発明に係る一実施例の衣服を着用してスイング動作をすることを示す図である。
【発明を実施するための形態】
【００１８】
以下、図面を参照して、本発明に係る具体的な実施例を説明する。
【００１９】
本発明は、ゴルフスポーツにおけるスイング姿勢矯正用ゴルフウェアを提供する。前記ゴルフウェアには、衣服本体の両肩部と両腕部の位置に連続的に形成されるストリップ状識別部等を含むスイング姿勢矯正補助構造が配置されており、ゴルファーが、スイングの過程において肉眼で識別部の形状を観察することにより、肩部と両腕が略二等辺三角形を形成されること、左腕が真っ直ぐになっている等正しい姿勢を容易に確認及び維持することができ、正しいスイングに有利である。本発明は、ゴルファー、特に初心者のスイング姿勢を矯正できるので、ゴルファーとして正確なスイング姿勢を迅速に掌握できるようにして、ゴルフのレベルを飛躍的に向上させ、運動の体験感を向上させることができる。本発明における略二等辺三角形を形成されることは、二等辺三角形と類似することを言うことで、幾何学的に規定された二等辺三角形ではない。
【００２０】
本発明において、スイング姿勢矯正用ゴルフウェアは、衣服本体１と、衣服本体１に配置されるスイング姿勢矯正補助構造とを含む。前記スイング姿勢矯正補助構造は、ゴルファーが通常のバッティング動作を行うときのスイングの過程において、両腕と肩部によって形成される形状を略二等辺三角形の形状に維持されるようにする。本発明は、ゴルファーの両腕と肩部とによって形成される形状が略二等辺三角形に維持される限り、スイング姿勢矯正補助構造の具体的な実施構造について、特な制限をしていない。いくつかの好ましい実施形態において、スイング姿勢矯正補助構造は、ゴルフウェアに配置されるストリップ状識別部、連接構造、肘関節制限構造のうちのいずれの一つまたはこれらの組み合わせを含むことができる。以下、図面を参照して、これらの好ましい実施形態を説明する。
【実施例１】
【００２１】
＜識別部＞
図１は、本発明に係る一実施例１の衣服の構造を示す図である。図１に示すように、本実施例で提供されるゴルフスポーツにおけるスイング姿勢矯正用ゴルフウェアは、衣服本体１と、衣服本体１に配置されるスイング姿勢矯正補助構造とを含む。実施例において、スイング姿勢矯正補助構造は、ストリップ状識別部２である。前記ストリップ状識別部２は、前記衣服本体１の肩部の前側から横方向に沿って延長されて形成される肩部識別部２０１と、前記肩部識別部の両側にそれぞれ連接され、前記ゴルフウェアの袖部に沿って延長されて形成される左腕識別部と右腕識別部に分かれた両腕識別部２０２とを含み、ゴルファーが両手でゴルフクラブを握ってバッティング準備姿勢を取る際に、ゴルファーの視点から見た場合、前記肩部識別部と両腕識別部とによって形成される形状は略三角形の形状である。好ましくは、前記ストリップ状識別部は、前記衣服本体における前記ストリップ状識別部以外の部分とは顕著に異なるカラーまたはパターンを有する。即ち、前記ストリップ状識別部は、ゴルファーが両手でゴルフクラブを握ってバッティング準備姿勢を取る際に、顕著な三角形の形状を形成されることができる。本発明では、カラーおよびパターンの具体的な実施態様について制限せず、ストリップ状識別部を顕著に見ることができれば任意のカラーおよびパターンを使用できる。例えば、カラーは単一のカラーまたは混合されたカラーであることができ、パターンは三角形のパターン等であることができる。好ましくは、前記ストリップ状識別部は、前記衣服本体上にプリントされて形成されるか、または、前記衣服本体とは独立して形成された後に前記衣服本体に取り付けられる。
本発明は、ゴルファーが通常のゴルフボール打撃動作を行うとき、即ち、ゴルファーが頭を自然に下げ、両腕の上部を本体の前部にくっつき、両手でゴルフクラブを握ってスイングをすると、前記ストリップ状識別部１の肩部識別部２０１と両腕識別部２０２とは略二等辺三角形を形成することになる。ストリップ状識別部２のカラーまたはパターンが、衣服の他の部分とは顕著に異なるので、ゴルファー５がスイングの過程において視覚（横目）を通じてすべてのストリップ状識別部２を見ることができる。即ち、ストリップ状識別部２によって連接形成された顕著の三角形の形状を見ることができる。したがって、肩部と両腕は、前記ストリップ状識別部２によって形成された三角形の形状を参考し、略二等辺三角形を形成されることができ、図９に示すように、標準のスイングの姿勢を維持することになる。言い換えれば、スイングの過程において、ゴルファー５がストリップ状識別部２またはストリップ状識別部の一部を見ることができない場合、スイングの姿勢が正確ではないので調整する必要があることを意味する。
【実施例２】
【００２２】
＜連接構造＞
図２は、本発明に係る実施例２の衣服の構造を示す図である。図２に示すように、本実施例で提供されるゴルフスポーツにおけるスイング姿勢矯正用ゴルフウェアは、衣服本体１と、衣服本体１に配置されるスイング姿勢矯正補助構造とを含む。この実施例において、スイング姿勢矯正補助構造は、連接構造３である。図２に示すように、連接構造３は、前記衣服本体１に配置され、前記連接構造は、繰り返して分離または結合することができ、具体的には、衣服本体の下記位置に配置されることができる。ゴルフウェアを着用したゴルファーが両手でゴルフクラブを握って、通常のバッティング動作を行うとき、ゴルファーの腕部とゴルファーの胸部位置に対応する位置が互いに接触されている接続位置、即ち、衣服を着用したゴルファー５を基準として、ゴルファー５が、通常のスイング動作をするとき、ゴルファー５の腕によってゴルファー５の胸部に当てられる位置に配置されることができる。即ち、衣服本体には相互に連接される連接位置があって、それぞれ衣服本体の腕部と胸部に配置されている。以下、説明の便宜のために、衣服本体１の腕部における連接位置を第１接続位置、衣服本体の胸部における連接位置を第２連接位置とする。このとき、図２に示すように、第１連接位置は、衣服本体の腋下側から胸部の付近まで傾斜延長され、第２連接位置は、衣服本体の腋下側から肘部の付近まで延長される。より具体的には、連接構造３は、左腕連接構造３０１と右腕連接構造３０２とを含み、前記左腕連接構造と前記右腕連接構造はいずれも、互いに結合可能な連接部材と被連接部材とを含み、前記左腕連接構造３０１は、衣服本体１における左腕袖部の内側と胸部の左側との間に配置され、前記左腕連接構造３０１における連接部材と被連接部材とを連接するとき、左腕袖部の内側と胸部の左側を密着させ、前記右腕連接構造３０２は、衣服本体における右腕袖部の内側と胸部の右側との間に配置され、前記右腕連接構造における連接部材と被連接部材とを連接するとき、右袖袖部の内側と胸部の右側を密着させ、図９に示すように、ゴルファーが前記連接構造が連接されたゴルフウェアを着用してスイングするとき、連接構造３の制限作用により、ゴルファーの両腕が曲がりにくくなるため、ゴルファーの両腕と肩部とによって形成される形状が常に三角形に維持され、標準のスイング姿勢を維持することができる。
【００２３】
本発明は、連接構造について、特別な制限がなく、互いに配合して結合可能であり、ゴルファー５がスイングする過程において、肩部との両腕とによって形成される形状が略二等辺三角形を形成されることができればどのような構造でもすべて可能である。好ましい実施例において、前記連接構造３は、簡単で操作が便利なジッパー構造であることができるが、これに限定されない。一例として、網羅的ではなく、接着方式により連接される接着構造、または、ボタンスナップ方式により連接されるボタン構造、または、スナップボタン方式により連接されるスナップ構造などであってもよい。ジッパー構造に配置される場合には、ジッパー構造は、第１ジッパーベルト、第２ジッパーベルトおよび第１ジッパーベルトと第２ジッパーベルトとを連接させるスライド部材を含むことができる。スライド部材を引いて第１ジッパーベルトと第２ジッパーベルトとを連接した場合、通常のバッティング動作を行うときのゴルファーの両腕と胸部は、互いに支えながら連接され、ゴルファーがスイングをする過程において肩部と腕部の動きを制限することにより、肩部と両腕とによって形成される形状が略二等辺三角形の形状に維持される。ジッパー構造の第１ジッパーベルトは、衣服本体の第１連接位置／第２連接位置に配置することができ、ジッパー構造の第２ジッパーベルトは、衣服本体の第２連接位置／第１連接位置に配置することができる。接着構造に配置される場合には、接着構造は、マジック帯であることができる。これにより、第１連接位置にマジック帯のメスボタンが配置され、第２連接位置にマジック帯のオスボタンを配置されることができるが、これに限定されず、第１連接位置にマジック帯のオスボタンを配置され、第２連接位置にマジック帯のメスボタンを配置することもできる。オスボタンとメスボタンの配置数は、実際の状況に応じて定めることができ、３〜５個に配置することができる。ゴルフ衣類が着用されていない場合、マジック帯が互いに付着されることを防止するために、オスボタンまたはメスボタンの位置にオスボタンまたはメスボタンをカバーするカバー部を配置することができる。オスボタンとメスボタンを接着することにより、通常のバッティング動作を行うゴルファーが両腕と胸部を互いに支えながら連接して、ゴルファーがスイングをする過程において肩部と腕部の動きを制限することにより、肩部と両腕とによって形成される形状が略二等辺三角形の形状に維持される。ボタン構造に配置される場合には、連接構造は、第１連接位置／第２連接位置に配置されるボタンと第２連接位置／第１連接位置に配置されるボタンホールとを含む。ボタンとボタンホールの配置数は、実際の状況に応じて定めることができ、３〜５個に配置することができる。ボタンとボタンホールをスナップすることにより、通常のバッティング動作を行うゴルファーが両腕と胸部を互いに支えながら連接して、ゴルファーがスイングをする過程において肩部と腕部の動きを制限することにより、肩部と両腕とによって形成される形状が略二等辺三角形の形状に維持される。スナップボタンに配置される場合には、連接構造は、第１連接位置／第２連接位置に配置されるオススナップボタンと第２連接位置／第１連接位置に配置されるメススナップボタンとを含む。オススナップボタンとメススナップボタンの配置数は、実際の状況に応じて定めることができ、３〜５個に配置することができる。オススナップボタンとメススナップボタンをスナップすることにより、通常のバッティング動作をするゴルファーが両腕と胸部を互いに支えながら連接して、ゴルファーがスイングをする過程において肩部と腕部の動きを制限することにより、肩部と両腕とによって形成される形状が略二等辺三角形の形状に維持される。
【００２４】
また、本実施形態において、左、右腕の両側に連接構造を配置したが、需要に応じて一方の側のみに配置することもできる。例えば、左利きゴルファーに対して左腕側のみ連接構造を配置することもできる。
【実施例３】
【００２５】
＜肘関節制限構造＞
図３は、本発明に係る実施例３の衣類の構造を示す図である。図３に示すように、本実施例で提供されるゴルフスポーツにおけるスイング姿勢矯正用ゴルフウェアは、衣服本体１と、衣服本体１に配置されるスイング姿勢矯正補助構造とを含む。この実施例において、スイング姿勢矯正補助構造は、肘関節制限構造４である。図３に示すように、前記肘関節制限構造４は、衣服本体１の腕部でゴルファーの肘関節エリアに対応する位置に配置される。具体的には、前記肘関節制限構造４は、衣服本体１の左側肘部の内側および／または右側肘部の内側に配置され、前記肘関節制限構造は、挿入部と、ゴルファーの肘関節の曲げを制限する硬質物体とを含み、前記硬質物体は、前記挿入部に着脱可能に挿入されて、ゴルファーのバッティング目標側の腕における前記挿入部に前記硬質物体を挿入した場合、硬質物体によってゴルファーのかかる肘の曲げが制限され、腕がまっすぐに保たれ、両腕と肩部とによって形成される形状を常に三角形に維持されることができる。
【００２６】
より具体的には、挿入部は、棒状の硬質物体を挿入する挿入口と硬質物体を配置する配置スペースとを備え、硬質物体は挿入部において動きを支持および制限する。本発明は、挿入部の構造について制限がなく、硬質物体を挿入することができればどのような構造も可能である。例えば、インナーポケットの形式で衣服本体に形成される、即ち、配置スペースを衣服本体の内側に形成されることができる。例えば、衣服本体の袖部内側に布を連接して形成されることができる。また、アウターポケットの形式で衣服本体に形成される、即ち、配置スペースを衣服本体の外側に形成されることもできる。例えば、衣服本体の袖部外側に布を連接して形成されることもできる。配置スペースはポケットの形式であることができ、複数のスルーホールから構成されることもできる。即ち、衣服本体の袖部上で複数の布ベルトを利用して、複数の硬質物体が通過できるようなスルーホールを形成されることができる。
【００２７】
硬質物体は、衣服本体よりも強度が堅い材質で構成される。例えば、一定の強度を有する剛性の材質から構成される。図４に示すように、本発明の一例において、硬質物体は平らなヘッド部と先の尖った底部を備えるゴルフのティー（Ｔｅｅ）４０１であることができるが、これに限定されない。例えば、他のティー形状の物体またはストリップ形状であることができる。硬質物体を挿入部に挿入する場合、硬質物体をゴルファー５の腕と略平行ように配置することにより、ゴルファー５の肘の曲げを制限することができる。硬質物体が挿入部の挿入口を経由して配置スペースに挿入される場合、硬質物体が配置スペースから落ちることを防止するために、挿入口に開口をカバーするカバー部を配置することができる。肘関節制限構造４は、衣服本体１の一つの腕部上に配置されることができる。好ましくは、左側の腕部に配置されるが、両腕上に同時に配置されることもできる。
ゴルファーが硬質物体が挿入されたゴルフを着用する場合、前記硬質物体は、ゴルファーの腕の長手方向に沿って延長され、肘関節を経るとともに肘関節を支えることになる。したがって、前記ゴルファー５が両手でゴルフクラブを握って、通常のバッティング動作を行うとき、前記ゴルファーの腕の長手方向に沿って延長され、肘関節を経る前記硬質物体の一端によって腕の上腕の一部を支え、他端は、腕の下腕の一部を支えることにより、前記肘関節の動きを制限する。これにより、前記ゴルファーがスイングする過程において、両腕と肩部によって形成される形状が略二等辺三角形の形状に維持される。
【００２８】
また、本実施形態において、前記硬質物体は、一定の弾性を有する物体、例えば、プラスチックシートなどであることもできる。
【実施例４】
【００２９】
＜識別部＋連接構造＞
図５は、本発明の実施例４の衣服の構造を示す図である。図４に示すように、本実施例で提供されるゴルフスポーツにおけるスイング姿勢矯正用ゴルフウェアは、上述実施例１で提供されるゴルフウェアと比較すると、スイング姿勢矯正補助構造はストリップ状識別部２を含むほか、上述実施例２で提供される連接構造をさらに含む。
本実施例のストリップ状識別部２と連接構造３は、上述実施例１、２において説明したストリップ状識別部２及び連接構造３と同じである。重複説明を避けるために、ここで詳細な説明を省略する。
衣服にストリップ状識別部２と連接構造３が同時に配置されているため、ゴルファー５がスポーツする場合、ストリップ状識別部２のみを使用してスイング姿勢を維持及び矯正することができる。このとき、連接構造３の連接部材と被連接部材とは互いに連接されていなくてもよい。連接構造３のみ、または、ストリップ状識別部２と連接構造３とを同時に使用することで、スイング姿勢を維持及び矯正することもできる。
【実施例５】
【００３０】
＜識別部＋肘関節制限構造＞
図６は、本発明の実施例５の衣服の構造を示す図である。図６に示すように、本実施例で提供されるゴルフスポーツにおけるスイング姿勢矯正用ゴルフウェアは、上述実施例１で提供されるゴルフウェアと比較すると、スイング姿勢矯正補助構造はストリップ状識別部２を含むほか、上述実施例３で提供される肘関節制限構造４をさらに含む。
【００３１】
本実施例のストリップ状識別部２と肘関節制限構造４は、上述実施例１、３において説明したストリップ状識別部２及び肘関節制限構造４と同じである。重複説明を避けるために、ここで詳細な説明を省略する。
【００３２】
衣服にストリップ状識別部２と肘関節制限構造４が同時に配置されているため、ゴルファー５がスポーツする場合、ストリップ状識別部２のみを使用してスイング姿勢を維持及び矯正することができる。このとき、挿入部を収容部に挿入してもよい。肘関節制限構造４のみ、または、ストリップ状識別部２と肘関節制限構造４とを同時に使用することで、スイング姿勢を維持及び矯正することもできる。
【実施例６】
【００３３】
＜連接構造＋肘関節制限構造＞
図７は、本発明の実施例６の衣服の構造を示す図である。図７に示すように、本実施例で提供されるゴルフスポーツにおけるスイング姿勢矯正用ゴルフウェアは、上述実施例２で提供されるゴルフウェアと比較すると、スイング姿勢矯正補助構造は連接構造３を含むほか、上述実施例３で提供される肘関節制限構造４をさらに含む。
【００３４】
本実施例の連接構造３と肘関節制限構造４は、上述実施例２、３において説明した連接構造３及び肘関節制限構造４と同じである。重複説明を避けるために、ここで詳細な説明を省略する。
【００３５】
衣服に連接構造３と肘関節制限構造４が同時に配置されているため、ゴルファー５がスポーツする場合、連接構造３のみを使用してスイング姿勢を維持及び矯正することができる。このとき、硬質物体を挿入部に挿入しなくてもよい。肘関節制限構造４のみ、または、連接構造３と肘関節制限構造４とを同時に使用することで、スイング姿勢を維持及び矯正することもできる。
【実施例７】
【００３６】
＜識別部＋連接構造＋肘関節制限構造＞
図８は、本発明の実施例７の衣服の構造を示す図である。図８に示すように、本実施例で提供されるゴルフスポーツにおけるスイング姿勢矯正用ゴルフウェアは、上述実施例１〜３で提供されるゴルフウェアと比較すると、違いは、スイング姿勢矯正補助構造はストリップ状識別部２、連接部材３及び肘関節制限構造４を同時に含む。
【００３７】
本実施例のストリップ状識別部２、連接部材３及び肘関節制限構造４は、上述実施例１〜３において説明したストリップ状識別部２、連接部材３及び肘関節制限構造４と同じである。重複説明を避けるために、ここで詳細な説明を省略する。
【００３８】
衣服にストリップ状識別部２、連接部材３及び肘関節制限構造４が同時に配置されているため、ゴルファー５がスポーツする場合、ストリップ状識別部２のみを使用してスイング姿勢を維持及び矯正することができる。このとき、連接構造３の連接部材と被連接部材とは互いに連接されていなく、硬質物体は、挿入部に挿入されていなくてもいい。連接部材３のみを使用してスイング姿勢を維持及び矯正することができ、このとき、硬質物体を挿入部に挿入しなくてもよい。肘関節制限構造４のみ、または、ストリップ状識別部２、連接部材３及び肘関節制限構造４を同時に使用することで、スイング姿勢を維持及び矯正することもできる。
【００３９】
最後に、上記実施例は、単に本発明の技術的解決策を例示するために使用されているに過ぎず、それに限定されない。たとえ、上記実施例を参照して本発明を詳細に説明したが、当分野で通常の知識を有する者であれば、上記の実施例に記載された技術的解決策について変更したり、一部の技術的特徴を均等物に置き換えることができる。これらの変更、または、均等物の代替は、対応する技術的方策の根本を、本発明の各実施例の技術的方案の思想と範囲を超えないようにする。
【図１】
0006948724.tif 000002
【図２】
0006948724.tif 000003
【図３】
0006948724.tif 000004
【図４】
0006948724.tif 000005
【図５】
0006948724.tif 000006
【図６】
0006948724.tif 000007
【図７】
0006948724.tif 000008
【図８】
0006948724.tif 000009
【図９】
0006948724.tif 000010